(57)【要約】      （修正有）【課題】フランジバックが短く、大型の撮像素子を有するミラーレスカメラシステムに対応し、小型で高い結像性能を有するリアコンバージョンレンズを提供する。【解決手段】主レンズＭＬの像側に着脱可能に装着し、その焦点距離を拡大するリアコンバージョンレンズであって、物体側から順に正の屈折力を有する第１レンズ群、負の屈折力を有する第２レンズ群、負の屈折力を有する第３レンズ群、正の屈折力を有する第４レンズ群から成り、各レンズ群は１枚のレンズまたは１組の接合レンズから成り、特定の条件式を満足することを特徴とするリアコンバージョンレンズ。【選択図】図１
2020173319.tif 000002
【特許請求の範囲】
【請求項１】
主レンズの像側に着脱可能に装着し、その焦点距離を拡大するリアコンバージョンレンズであって、
物体側から順に正の屈折力を有する第１レンズ群、負の屈折力を有する第２レンズ群、正または負の屈折力を有する第３レンズ群、正の屈折力を有する第４レンズ群から成り、
各レンズ群は１枚のレンズまたは１組の接合レンズから成り、
以下に示す条件式を満足することを特徴とするリアコンバージョンレンズ。
（１）        ０．４０≦ＢＦ／ｈ≦１．１０
（２）        ０．８０≦（Ｌ−ＰＰＯ）／Ｌ≦１．７０
（３）        −１．００≦（Ｌ＋ＰＰＩ）／Ｌ≦０．２０
（４）        ０．１０≦ｆ１２３／ｆ≦０．６０
但し、
ＢＦ：前記主レンズに前記リアコンバージョンレンズを装着した状態でのバックフォーカス
ｈ：最大像高
Ｌ：前記リアコンバージョンレンズの最も物体側のレンズ面から最も像側のレンズ面までの距離
ＰＰＯ：前記リアコンバージョンレンズの最も物体側のレンズ面から前記リアコンバージョンレンズの物体側主点までの距離（物体側から像側に向かう向きを正とする。）
ＰＰＩ：前記リアコンバージョンレンズの最も像側のレンズ面から前記リアコンバージョンレンズの像側主点までの距離（物体側から像側に向かう向きを正とする。）
ｆ１２３：前記第１レンズ群から前記第３レンズ群の合成焦点距離
ｆ：前記リアコンバージョンレンズ全系の焦点距離
【請求項２】
前記第３レンズ群は１枚の負レンズを有し、
以下に示す条件式を満足することを特徴とする請求項１に記載のリアコンバージョンレンズ。
（５）        −０．３０≦ｆ２／ｆ３≦０．３０
（６）        ｎｄ３ｎ≧１．９７
但し、
ｆ２：前記第２レンズ群の焦点距離
ｆ３：前記第３レンズ群の焦点距離
ｎｄ３ｎ：前記第３レンズ群に含まれる負レンズのｄ線に対する屈折率
【請求項３】
以下に示す条件式を満足することを特徴とする請求項１または２に記載のリアコンバージョンレンズ。
（７）        （Ｄ３４−ＰＰＩ１２３＋ＰＰＯ４）／（−ｆ）≧０．１００
但し、
Ｄ３４：前記第３レンズ群と前記第４レンズ群の間の空気間隔
ＰＰＩ１２３：前記第３レンズ群の最も像側のレンズ面から、前記第１レンズ群から前記第３レンズ群の合成系の像側主点までの距離（物体側から像側に向かう向きを正とする。）
ＰＰＯ４：前記第４レンズ群の最も物体側のレンズ面から、前記第４レンズ群の物体側主点までの距離（物体側から像側に向かう向きを正とする。）
ｆ：前記リアコンバージョンレンズ全系の焦点距離
【請求項４】
前記第４レンズ群は１枚の像側に凸面を向けた正メニスカスレンズから成り、
以下に示す条件式を満足することを特徴とする請求項１乃至３のいずれかに記載のリアコンバージョンレンズ。
（８）        ０．１５≦ＲＧ４ｒｅａｒ／ｆ≦０．５０
（９）        −８．００≦（ＲＧ４ｒｅａｒ＋ＲＧ４ｆｒｏｎｔ）／（ＲＧ４ｒｅａｒ−ＲＧ４ｆｒｏｎｔ）≦−１．２０
但し、
ＲＧ４ｒｅａｒ：前記第４レンズ群の最も像側のレンズ面の曲率半径
ＲＧ４ｆｒｏｎｔ：前記第４レンズ群の最も物体側のレンズ面の曲率半径
ｆ：前記リアコンバージョンレンズ全系の焦点距離
【請求項５】
以下に示す条件式を満足することを特徴とする請求項１乃至４のいずれかに記載のリアコンバージョンレンズ。
（１０）        Ｓ０＊ＨＧ１＊β／ｈ≧２１．０
但し、
Ｓ０：前記リアコンバージョンレンズの最も物体側のレンズ面から、前記主レンズの結像面までの距離（物体側から像側に向かう向きを正とする。）
ＨＧ１：前記リアコンバージョンレンズの最も物体側のレンズ面の有効光線高
β：前記リアコンバージョンレンズの拡大倍率
ｈ：最大像高
【請求項６】
以下に示す条件式を満足することを特徴とする請求項１乃至５のいずれかに記載のリアコンバージョンレンズ。
（１１）        １．８５≦β≦２．１５
但し、
β：前記リアコンバージョンレンズの拡大倍率
【請求項７】
前記第１レンズ群は物体側から順に負レンズと正レンズと負レンズとを接合してなる１組の３枚接合レンズから成り、
前記第２レンズ群は物体側から順に負レンズと正レンズとを接合してなる１組の接合レンズから成り、
前記第３レンズ群は物体側から順に正レンズと負レンズとを接合してなる１組の接合レンズから成ることを特徴とする請求項１乃至６のいずれかに記載のリアコンバージョンレンズ。
【発明の詳細な説明】
【技術分野】
【０００１】
本発明はデジタルスチルカメラ、ビデオカメラなどに用いられる撮影レンズ（主レンズ）の像側に装着し、その焦点距離を拡大するリアコンバージョンレンズに関する。
【背景技術】
【０００２】
従来、主レンズとカメラ本体との間に着脱可能に装着して、全系の焦点距離を主レンズ単独の焦点距離に比べて長い方へ変化させるリアコンバージョンレンズが知られている。
【先行技術文献】
【特許文献】
【０００３】
【特許文献１】特開２０１０−１９１２１１号公報
【特許文献２】特開２０１６−１７７０４２号公報
【発明の概要】
【発明が解決しようとする課題】
【０００４】
近年、クイックリターンミラーを廃止し、一眼レフレックスカメラに比べてフランジバックが短く、システムとして小型化に有利なミラーレスカメラシステムが人気を博しており、フルサイズのような大型の撮像素子を有したミラーレスカメラシステムも増えている。そのような大型の撮像素子を有したミラーレスカメラシステムに適した小型で高い結像性能を有するリアコンバージョンレンズが求められている。
【０００５】
特許文献１に記載のリアコンバージョンレンズは一眼レフレックスカメラシステムの長いフランジバックを前提としており、ミラーレスカメラシステム用のフランジバックの短い主レンズに装着した場合には主レンズとの主点間距離が大きくなり拡大倍率が小さくなってしまう。
【０００６】
特許文献２に記載のリアコンバージョンレンズはミラーレスカメラシステムでの使用を目的としているが、実施例は比較的小型の撮像素子向けの光学系のみである。大型の撮像素子向けにスケーリングした場合には対応可能なフランジバックも長くなるため、大型の撮像素子を有したミラーレスカメラシステムに好適とは言えない。
【０００７】
本発明はこのような状況に鑑みてなされたものであり、フランジバックが短く、大型の撮像素子を有するミラーレスカメラシステムに対応し、小型で高い結像性能を有するリアコンバージョンレンズを提供することを目的とする。
【課題を解決するための手段】
【０００８】
前述の課題を解決するための第１の発明は、主レンズの像側に着脱可能に装着し、その焦点距離を拡大するリアコンバージョンレンズであって、物体側から順に正の屈折力を有する第１レンズ群、負の屈折力を有する第２レンズ群、正または負の屈折力を有する第３レンズ群、正の屈折力を有する第４レンズ群から成り、各レンズ群は１枚のレンズまたは１組の接合レンズから成り、
以下に示す条件式を満足することを特徴とするリアコンバージョンレンズ。
（１）        ０．４０≦ＢＦ／ｈ≦１．１０
（２）        ０．８０≦（Ｌ−ＰＰＯ）／Ｌ≦１．７０
（３）        −１．００≦（Ｌ＋ＰＰＩ）／Ｌ≦０．２０
（４）        ０．１０≦ｆ１２３／ｆ≦０．６０
但し、
ＢＦ：前記主レンズに前記リアコンバージョンレンズを装着した状態でのバックフォーカス
ｈ：最大像高
Ｌ：前記リアコンバージョンレンズの最も物体側のレンズ面から最も像側のレンズ面までの距離
ＰＰＯ：前記リアコンバージョンレンズの最も物体側のレンズ面から前記リアコンバージョンレンズの物体側主点までの距離（物体側から像側に向かう向きを正とする。）
ＰＰＩ：前記リアコンバージョンレンズの最も像側のレンズ面から前記リアコンバージョンレンズの像側主点までの距離（物体側から像側に向かう向きを正とする。）
ｆ１２３：前記第１レンズ群から前記第３レンズ群の合成焦点距離
ｆ：前記リアコンバージョンレンズ全系の焦点距離
【０００９】
また、前述の課題を解決するための手段である第２の発明は、第１の発明であるリアコンバージョンレンズであって、さらに前記第３レンズ群は１枚の負レンズを有し、以下に示す条件式を満足することを特徴とするリアコンバージョンレンズである。
（５）        −０．３０≦ｆ２／ｆ３≦０．３０
（６）        ｎｄ３ｎ≧１．９７
但し、
ｆ２：前記第２レンズ群の焦点距離
ｆ３：前記第３レンズ群の焦点距離
ｎｄ３ｎ：前記第３レンズ群に含まれる負レンズのｄ線に対する屈折率
【００１０】
また、前述の課題を解決するための第３の発明は、第１の発明又は第２の発明であるリアコンバージョンレンズであって、さらに以下に示す条件式を満足することを特徴とするリアコンバージョンレンズである。
（７）        （Ｄ３４−ＰＰＩ１２３＋ＰＰＯ４）／（−ｆ）≧０．１００
但し、
Ｄ３４：前記第３レンズ群と前記第４レンズ群の間の空気間隔
ＰＰＩ１２３：前記第３レンズ群の最も像側のレンズ面から、前記第１レンズ群から前記第３レンズ群の合成系の像側主点までの距離（物体側から像側に向かう向きを正とする。）
ＰＰＯ４：前記第４レンズ群の最も物体側のレンズ面から、前記第４レンズ群の物体側主点までの距離（物体側から像側に向かう向きを正とする。）
ｆ：前記リアコンバージョンレンズ全系の焦点距離
【００１１】
また、前述の課題を解決するための手段である第４の発明は、第１の発明乃至第３の発明のいずれかに記載のリアコンバージョンレンズであって、さらに前記第４レンズ群は１枚の像側に凸面を向けた正メニスカスレンズから成り、以下に示す条件式を満足することを特徴とするリアコンバージョンレンズである。
（８）        ０．１５≦ＲＧ４ｒｅａｒ／ｆ≦０．５０
（９）        −８．００≦（ＲＧ４ｒｅａｒ＋ＲＧ４ｆｒｏｎｔ）／（ＲＧ４ｒｅａｒ−ＲＧ４ｆｒｏｎｔ）≦−１．２０
但し、
ＲＧ４ｒｅａｒ：前記第４レンズ群の最も像側のレンズ面の曲率半径
ＲＧ４ｆｒｏｎｔ：前記第４レンズ群の最も物体側のレンズ面の曲率半径
ｆ：前記リアコンバージョンレンズ全系の焦点距離
【００１２】
また、前述の課題を解決するための手段である第５の発明は、第１の発明乃至第４の発明のいずれかに記載のリアコンバージョンレンズであって、さらに以下に示す条件式を満足することを特徴とするリアコンバージョンレンズである。
（１０）        Ｓ０＊ＨＧ１＊β／ｈ≧２１．０
但し、
Ｓ０：前記リアコンバージョンレンズの最も物体側のレンズ面から、前記主レンズの結像面までの距離（物体側から像側に向かう向きを正とする。）
ＨＧ１：前記リアコンバージョンレンズの最も物体側のレンズ面の有効光線高
β：前記リアコンバージョンレンズの拡大倍率
ｈ：最大像高
【００１３】
また、前述の課題を解決するための手段である第６の発明は、第１の発明乃至第５の発明のいずれかに記載のリアコンバージョンレンズであって、さらに以下に示す条件式を満足することを特徴とするリアコンバージョンレンズである。
（１１）        １．８５≦β≦２．１５
但し、
β：前記リアコンバージョンレンズの拡大倍率
【００１４】
また、前述の課題を解決するための手段である第７の発明は、第１の発明乃至第６の発明のいずれかに記載のリアコンバージョンレンズであって、さらに前記第１レンズ群は物体側から順に負レンズと正レンズと負レンズとを接合してなる１組の３枚接合レンズから成り、前記第２レンズ群は物体側から順に負レンズと正レンズとを接合してなる１組の接合レンズから成り、前記第３レンズ群は物体側から順に正レンズと負レンズとを接合してなる１組の接合レンズから成ることを特徴とするリアコンバージョンレンズである。
【発明の効果】
【００１５】
本発明によれば、フランジバックが短く、大型の撮像素子を有するミラーレスカメラシステムに対応し、小型で高い結像性能を有するリアコンバージョンレンズを提供することができる。
【図面の簡単な説明】
【００１６】
【図１】各実施例に用いる主レンズのレンズ構成図である。
【図２】各実施例に用いる主レンズの縦収差図である。
【図３】各実施例に用いる主レンズの横収差図である。
【図４】実施例１のリアコンバージョンレンズを主レンズに装着した時のレンズ構成図である。
【図５】実施例１のリアコンバージョンレンズのレンズ構成図である。
【図６】実施例１のリアコンバージョンレンズを主レンズに装着した時の縦収差図である。
【図７】実施例１のリアコンバージョンレンズを主レンズに装着した時の横収差図である。
【図８】実施例２のリアコンバージョンレンズのレンズ構成図である。
【図９】実施例２のリアコンバージョンレンズを主レンズに装着した時の縦収差図である。
【図１０】実施例２のリアコンバージョンレンズを主レンズに装着した時の横収差図である。
【図１１】実施例３のリアコンバージョンレンズのレンズ構成図である。
【図１２】実施例３のリアコンバージョンレンズを主レンズに装着した時の縦収差図である。
【図１３】実施例３のリアコンバージョンレンズを主レンズに装着した時の横収差図である。
【図１４】実施例４のリアコンバージョンレンズのレンズ構成図である。
【図１５】実施例４のリアコンバージョンレンズを主レンズに装着した時の縦収差図である。
【図１６】実施例４のリアコンバージョンレンズを主レンズに装着した時の横収差図である。
【発明を実施するための形態】
【００１７】
本発明のリアコンバージョンレンズは、図５、図８、図１１、図１４に示すレンズ構成図から分かるように、物体側から順に正の屈折力を有する第１レンズ群と、負の屈折力を有する第２レンズ群と、正または負の屈折力を有する第３レンズ群と、正の屈折力を有する第４レンズ群とから構成され、各レンズ群は１枚のレンズまたは１組の接合レンズから構成される。
また、本発明のリアコンバージョンレンズは、以下に示す条件式を満足することを特徴とする。
（１）        ０．４０≦ＢＦ／ｈ≦１．１０
（２）        ０．８０≦（Ｌ−ＰＰＯ）／Ｌ≦１．７０
（３）        −１．００≦（Ｌ＋ＰＰＩ）／Ｌ≦０．２０
（４）        ０．１０≦ｆ１２３／ｆ≦０．６０
但し、
ＢＦ：前記主レンズに前記リアコンバージョンレンズを装着した状態でのバックフォーカス
ｈ：最大像高
Ｌ：前記リアコンバージョンレンズの最も物体側のレンズ面から最も像側のレンズ面までの距離
ＰＰＯ：前記リアコンバージョンレンズの最も物体側のレンズ面から前記リアコンバージョンレンズの物体側主点までの距離（物体側から像側に向かう向きを正とする。）
ＰＰＩ：前記リアコンバージョンレンズの最も像側のレンズ面から前記リアコンバージョンレンズの像側主点までの距離（物体側から像側に向かう向きを正とする。）
ｆ１２３：前記第１レンズ群から前記第３レンズ群の合成焦点距離
ｆ：前記リアコンバージョンレンズ全系の焦点距離
【００１８】
主レンズの焦点距離を長い方へ変化させるリアコンバージョンレンズは、全系として負の屈折力を有している。フランジバックの短いミラーレスカメラシステムでは主レンズの結像点に近い位置にリアコンバージョンレンズが配置されるため、必要な拡大倍率を得るのにリアコンバージョンレンズ全系として強い負の屈折力が必要になる。
その理由の概略を以下に示す。
薄肉近似で考え、リアコンバージョンレンズから主レンズの結像点までの距離をＳ、リアコンバージョンレンズの焦点距離をｆ、リアコンバージョンレンズの拡大倍率をβとした時、ニュートンの結像式の変形より、以下の（参考式ａ）が成り立つ。
（参考式ａ）        Ｓ＝（１／β−１）＊ｆ
拡大倍率βを一定（β＞１）とした時、Ｓが小さくなると、ｆの絶対値は小さくなる。即ち、主レンズの結像点に近い位置にリアコンバージョンレンズが配置されると、拡大倍率を維持するにはリアコンバージョンレンズの負の屈折力を大きくする必要がある。
【００１９】
本発明のリアコンバージョンレンズは、第２レンズ群と第３レンズ群の合成系が強い負の屈折力を有しており、強い負の屈折力により発生する諸収差を正の屈折力を有する第１レンズ群、第４レンズ群で補正している。第２レンズ群、第３レンズ群の持つ球面収差、軸上色収差を比較的軸上光束径の大きい第１レンズ群で補正している。また、第２レンズ群、第３レンズ群の持つ像面湾曲、非点収差、正の歪曲収差の補正には軸上光束径が小さく、軸外光線高が大きい第４レンズ群の寄与が大きくなり、第１レンズ群、第４レンズ群の両方で補正している。
【００２０】
条件式（１）は大型の撮像素子を有するミラーレスカメラシステムにおいて適切なバックフォーカスを確保しつつ、リアコンバージョンレンズの小型化を達成するために、主レンズにリアコンバージョンレンズを装着した状態でのバックフォーカスと最大像高との比について好ましい範囲を規定するものである。
【００２１】
条件式（１）の上限値を超えて、主レンズにリアコンバージョンレンズを装着した状態でのバックフォーカスが大きくなると、リアコンバージョンレンズの全長が大きくなり、小型化が困難になる。一方、条件式（１）の下限値を超えて、主レンズにリアコンバージョンレンズを装着した状態でのバックフォーカスが小さくなり過ぎるとバックフォーカスの不足によりミラーレスカメラシステムに適用することが困難になる。
【００２２】
尚、条件式（１）について、望ましくはその下限値を０．５０に、また上限値を１．００に限定することで、前述の効果をより確実にすることができる。
【００２３】
条件式（２）はリアコンバージョンレンズの物体側主点の位置について好ましい範囲を規定するものである。物体側主点を主レンズに近づけることで、主レンズとリアコンバージョンレンズの主点間距離が小さくなり、より小さい負の屈折力で所望の拡大倍率を得ることが可能になる。リアコンバージョンレンズの有する負の屈折力が小さくなることで、諸収差の発生量が抑制され、高い結像性能を実現することが容易になる。
【００２４】
条件式（２）の下限値を超えて、物体側主点の位置が像側に近づくと、主レンズとリアコンバージョンレンズの主点間距離が大きくなり、所望の拡大倍率を得るためにはリアコンバージョンレンズの負の屈折力が大きくなる。それにより、諸収差の発生量が増加し、高い結像性能を実現することが困難になる。一方、条件式（２）の上限値を超えて、物体側主点の位置を物体側に近づけるためには、リアコンバージョンレンズのフロント側に負の屈折力、リア側に正の屈折力というパワー配置の非対称性を大きくする必要がある。それにより各群で発生する諸収差が増加し、高い結像性能を実現することが困難になる。
【００２５】
尚、条件式（２）について、望ましくはその下限値を１．００に、また上限値を１．５０に限定することで、前述の効果をより確実にすることができる。
【００２６】
条件式（３）はリアコンバージョンレンズの像側主点の位置について好ましい範囲を規定するものである。リアコンバージョンレンズの像側主点から結像面までの距離は、リアコンバージョンレンズの拡大倍率と焦点距離によって決まる。像側主点から結像面までの距離を一定とした時、バックフォーカスは像側主点の位置によって変化する。像側主点の位置を物体側寄りに配置することで、バックフォーカスを小さくして、リアコンバージョンレンズを小型化することが容易になる。
【００２７】
条件式（３）の上限値を超えて、像側主点の位置が像側に近づくと、バックフォーカスが大きくなり、リアコンバージョンレンズの小型化が困難になる。一方、条件式（３）の下限値を超えて、像側主点の位置が物体側に近づくと、バックフォーカスの不足によりミラーレスカメラシステムに適用することが困難になる。
【００２８】
尚、条件式（３）について、望ましくはその下限値を−０．８０に、また上限値を０．００に限定することで、前述の効果をより確実にすることができる。
【００２９】
条件式（４）は第１レンズ群から第３レンズ群の合成焦点距離とリアコンバージョンレンズ全系の焦点距離の比について好ましい範囲を規定するものである。第１レンズ群から第３レンズ群の合成系に負の屈折力を配置し、第４レンズ群に正の屈折力を配置し、リアコンバージョンレンズ全系の物体側寄りに負の屈折力、像側寄りに正の屈折力という屈折力配置とすることで、リアコンバージョンレンズの物体側主点、像側主点を物体側に寄せることが容易になる。
【００３０】
条件式（４）の上限値を超えて、第１レンズ群から第３レンズ群の負の屈折力が弱くなると、リアコンバージョンレンズの物体側主点、像側主点が像側に近づき、その結果として前述の通り高い結像性能と小型化の実現が困難になる。一方、条件式（４）の下限値を超えて、第１レンズ群から第３レンズ群の負の屈折力が強くなり過ぎると、強い負の屈折力により発生する諸収差の補正が困難になり、高い結像性能の実現が困難になる。
【００３１】
尚、条件式（４）について、望ましくはその下限値を０．２０に、また上限値を０．５０に限定することで、前述の効果をより確実にすることができる。
【００３２】
さらに本発明のリアコンバージョンレンズでは、第３レンズ群が１枚の負レンズを有し、以下に示す条件式を満足することが望ましい。
（５）        −０．３０≦ｆ２／ｆ３≦０．３０
（６）        ｎｄ３ｎ≧１．９７
但し、
ｆ２：前記第２レンズ群の焦点距離
ｆ３：前記第３レンズ群の焦点距離
ｎｄ３ｎ：前記第３レンズ群に含まれる負レンズのｄ線に対する屈折率
【００３３】
条件式（５）は第２レンズ群の焦点距離と第３レンズ群の焦点距離の比について好ましい範囲を規定するものである。第２レンズ群と第３レンズ群は合成系として強い負の屈折力を有するが、第３レンズ群の負の屈折力分担が大きくなり過ぎると、第１レンズ群から第３レンズ群の合成系の像側主点位置が像側に近づき、リアコンバージョンレンズの物体側主点、像側主点の位置を物体側に近づけることが困難になる。そのため、第２レンズ群に強い負の屈折力、第３レンズ群に正または負の弱い屈折力を配置することが望ましい。
【００３４】
条件式（５）の上限値を超えて、第３レンズ群の負の屈折力が強くなり過ぎると、リアコンバージョンレンズの物体側主点、像側主点の位置を物体側に近づけることが困難になる。一方、条件式（５）の下限値を超えて、第３レンズ群の正の屈折力が強くなり過ぎると、全系の負の屈折力を維持するために第２レンズ群の負の屈折力を強くせざるを得ず、第２レンズ群で発生する諸収差が大きくなり、高い結像性能を実現することが困難になる。
【００３５】
尚、条件式（５）について、望ましくはその下限値を−０．２０に、また上限値を０．２０に限定することで、前述の効果をより確実にすることができる。
【００３６】
条件式（６）は第３レンズ群に含まれる負レンズの材料の屈折率に関するものである。第３レンズ群の負レンズに高屈折率の材料を用いることで、第２レンズ群と第３レンズ群の合成系で発生するペッツバール和を抑制することが容易になる。高屈折率の材料は第２レンズ群に使用するよりも、相対的に軸上光束径が小さく周辺主光線高が高い第３レンズ群に用いる方が像面湾曲、非点収差を補正する上で望ましい。
【００３７】
条件式（６）の下限値を超えて、第３レンズ群に含まれる負レンズの材料の屈折率が小さくなると、第２レンズ群と第３レンズ群の合成系で発生する負のペッツバール和が増加し、像面湾曲、非点収差の良好な補正が困難になり、高い結像性能の実現が困難になる。
【００３８】
尚、条件式（６）について、望ましくはその下限値を２．０２に限定することで、前述の効果をより確実にすることができる。
【００３９】
さらに本発明のリアコンバージョンレンズでは、以下に示す条件式を満足することが望ましい。
（７）        （Ｄ３４−ＰＰＩ１２３＋ＰＰＯ４）／（−ｆ）≧０．１００
但し、
Ｄ３４：前記第３レンズ群と前記第４レンズ群の間の空気間隔
ＰＰＩ１２３：前記第３レンズ群の最も像側のレンズ面から、前記第１レンズ群から前記第３レンズ群の合成系の像側主点までの距離（物体側から像側に向かう向きを正とする。）
ＰＰＯ４：前記第４レンズ群の最も物体側のレンズ面から、前記第４レンズ群の物体側主点までの距離（物体側から像側に向かう向きを正とする。）
ｆ：前記リアコンバージョンレンズ全系の焦点距離
【００４０】
条件式（７）は第１レンズ群から第３レンズ群の合成系の像側主点位置から第４レンズ群の物体側主点の距離に関するものである。第１レンズ群から第３レンズ群の合成系の負の屈折力と第４レンズ群の正の屈折力の主点間距離を大きくすることで、リアコンバージョンレンズの物体側主点、像側主点を物体側に寄せることが容易になる。
【００４１】
条件式（７）の下限値を超えて、第１レンズ群から第３レンズ群の合成系の像側主点位置から第４レンズ群の物体側主点の距離が小さくなると、リアコンバージョンレンズの物体側主点、像側主点が像側に近づき、その結果として前述の通り高い結像性能と小型化の実現が困難になる。
【００４２】
尚、条件式（７）について、望ましくはその下限値を０．１５０に限定することで、前述の効果をより確実にすることができる。
【００４３】
さらに本発明のリアコンバージョンレンズでは、第４レンズ群は１枚の像側に凸面を向けた正メニスカスレンズから構成され、以下に示す条件式を満足することが望ましい。
（８）        ０．１５≦ＲＧ４ｒｅａｒ／ｆ≦０．５０
（９）        −８．００≦（ＲＧ４ｒｅａｒ＋ＲＧ４ｆｒｏｎｔ）／（ＲＧ４ｒｅａｒ−ＲＧ４ｆｒｏｎｔ）≦−１．２０
但し、
ＲＧ４ｒｅａｒ：前記第４レンズ群の最も像側のレンズ面の曲率半径
ＲＧ４ｆｒｏｎｔ：前記第４レンズ群の最も物体側のレンズ面の曲率半径
ｆ：前記リアコンバージョンレンズ全系の焦点距離
【００４４】
条件式（８）は第４レンズ群の最も像側のレンズ面の曲率半径とリアコンバージョンレンズ全系の焦点距離の比について、好ましい範囲を規定するものである。第４レンズ群の最も像側のレンズ面がきつい凸面であることにより、第２レンズ群、第３レンズ群で発生する負のペッツバール和を補正することが容易になる。
【００４５】
条件式（８）の上限値を超えて、第４レンズ群の最も像側のレンズ面の曲率半径が大きくなると、ペッツバール和の補正が十分にできず、高い結像性能を実現することが困難になる。
一方、条件式（８）の下限値を超えて、第４レンズ群の最も像側のレンズ面の曲率半径が小さくなり過ぎると、第４レンズ群の全長や重量が増加し、小型化が困難になる。
【００４６】
尚、条件式（８）について、望ましくはその下限値を０．２０に、また上限値を０．４０に限定することで、前述の効果をより確実にすることができる。
【００４７】
条件式（９）は第４レンズ群のシェイプファクターについて好ましい範囲を規定するものである。第４レンズ群は像側に凸面を向けた正メニスカス形状とすることで、第４レンズ群の物体側主点位置を像側に寄せることが可能になり、第１レンズ群から第３レンズ群の合成系と第４レンズ群の主点間距離を大きくすることで、リアコンバージョンレンズの物体側主点、像側主点を物体側に寄せることが容易になる。
【００４８】
条件式（９）の上限値を超えて、第４レンズ群のレンズ形状が平凸形状に近づくと、第４レンズ群の物体側主点が物体側に寄ってしまい、第１レンズ群から第３レンズ群の合成系と第４レンズ群の主点間距離が小さくなることで、リアコンバージョンレンズの物体側主点、像側主点を物体側に寄せることが困難になる。一方、条件式（９）の下限値を超えて、第４レンズ群のレンズ形状がより極端なメニスカス形状になり過ぎると、第４レンズ群の正の屈折力が小さくなり、像面湾曲、非点収差、歪曲収差の良好な補正が困難になる。
【００４９】
尚、条件式（９）について、望ましくはその下限値を−６．００に、また上限値を−１．５０に限定することで、前述の効果をより確実にすることができる。
【００５０】
さらに本発明のリアコンバージョンレンズでは、以下に示す条件式を満足することが望ましい。
（１０）        Ｓ０＊ＨＧ１＊β／ｈ≧２１．０
但し、
Ｓ０：前記リアコンバージョンレンズの最も物体側のレンズ面から、前記主レンズの結像面までの距離（物体側から像側に向かう向きを正とする。）
ＨＧ１：前記リアコンバージョンレンズの最も物体側のレンズ面の有効光線高
β：前記リアコンバージョンレンズの拡大倍率
ｈ：最大像高
【００５１】
条件式（１０）は主レンズの射出瞳位置から結像点の距離が長い場合にも本発明のリアコンバージョンレンズが適用可能とするための条件式である。フランジバックの短いミラーレスカメラシステムでは主レンズの結像点に近い位置にリアコンバージョンレンズが配置されるため、主レンズの周辺光線がリアコンバージョンレンズ側でケラレやすい。射出瞳位置から結像点の距離が長い主レンズにも適用可能とするためには、リアコンバージョンレンズの最も物体側のレンズ面の位置と有効光線高を適切に設定することが重要になる。
【００５２】
条件式（１０）の下限値を超えて、主レンズの結像面から、リアコンバージョンレンズの最も物体側のレンズ面までの距離が短くなる、あるいはリアコンバージョンレンズの最も物体側のレンズ面の有効光線高が小さくなると、射出瞳位置から結像点の距離が長い主レンズに適用することが困難になる。
【００５３】
尚、条件式（１０）について、望ましくはその下限値を２２．０に限定することで、前述の効果をより確実にすることができる。
【００５４】
さらに本発明のリアコンバージョンレンズでは、以下に示す条件式を満足することが望ましい。
（１１）        １．８５≦β≦２．１５
但し、
β：前記リアコンバージョンレンズの拡大倍率
【００５５】
条件式（１１）はリアコンバージョンレンズの拡大倍率を規定するものである。
【００５６】
条件式（１１）の下限値を超えた場合、リアコンバージョンレンズとして十分な拡大倍率を確保できない。一方、条件式（１１）の上限値を超えた場合、リアコンバージョンレンズの負の屈折力が強くなり、諸収差の補正が困難になる。
【００５７】
尚、条件式（１１）について、望ましくはその下限値を１．９０に、また上限値を２．１０に限定することで、前述の効果をより確実にすることができる。
【００５８】
さらに本発明のリアコンバージョンレンズでは、第１レンズ群は物体側から順に負レンズと正レンズと負レンズとを接合してなる１組の３枚接合レンズから成り、第２レンズ群は物体側から順に負レンズと正レンズとを接合してなる１組の接合レンズから成り、第３レンズ群は物体側から順に正レンズと負レンズとを接合してなる１組の接合レンズから成ることが望ましい。
【００５９】
レンズ群を負レンズ、正レンズ、負レンズからなる３枚接合レンズとすることで、レンズ間隔や偏芯等の製造誤差による性能低下を抑制しつつ、球面収差、軸上色収差を良好に補正することが容易になる。
【００６０】
第２レンズ群を負レンズ、正レンズからなる接合レンズとすることで、第２レンズ群内で発生する軸上色収差、倍率色収差を低減し、リアコンバージョンレンズ全系での良好な色収差補正が容易になる。
【００６１】
第３レンズ群を正レンズ、負レンズからなる接合レンズとすることで、第３レンズ群内で発生する軸上色収差、倍率色収差を低減し、リアコンバージョンレンズ全系での良好な色収差補正が容易になる。
【００６２】
以下に、前述した本発明のリアコンバージョンレンズの各実施例の具体的な数値を示す。
【００６３】
［面データ］において、面番号は物体側から数えたレンズ面または開口絞りの番号、ｒは各面の曲率半径、ｄは各面の間隔、ｎｄはｄ線（波長λ＝５８７．５６ｎｍ）に対する屈折率、ｖｄはｄ線に対するアッベ数、有効光線高は各面における最も光線高の大きい光線の光線高を示している。
【００６４】
面番号に付した（絞り）は、その位置に開口絞りが位置していることを示している。平面又は開口絞りに対する曲率半径には∞（無限大）を記入している。
【００６５】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０次の非球面係数をそれぞれＡ４、Ａ６、Ａ８、Ａ１０と置くとき、非球面の座標が以下の式で表わされるものとする
2020173319.tif 000003
【００６６】
［各種データ］は、撮影距離が無限遠（ＩＮＦ）における値を示している。
【００６７】
［可変間隔データ］は、撮影距離が無限遠（ＩＮＦ）における可変間隔及びＢＦ（バックフォーカス）の値を示している。また、ｄ１は、主レンズの最も像側の面とリアコンバージョンレンズの最も物体側の面の間隔である。
【００６８】
［レンズ群データ］には、各レンズ群を構成する最も物体側の面番号及び群全体の合成焦点距離を示している。
【００６９】
尚、以下のすべての諸元値において、記載している焦点距離ｆ、曲率半径ｒ、レンズ面間隔ｄ、その他の長さの単位は特記のない限りミリメートル（ｍｍ）を使用するが、光学系では比例拡大と比例縮小において同等の光学性能が得られるので、これに限定されるものではない。
【００７０】
また、図１、図４において、Ｓは開口絞り、Ｉは像面、Ｆはフィルタ、中心を通る一点鎖線は光軸である。
【００７１】
次に、本発明のリアコンバージョンレンズに係る実施例のレンズ構成について説明する。
尚、以下の説明ではレンズ構成を物体側から像側の順番で記載する。
（主レンズ）
図１は、本発明のリアコンバージョンレンズを装着する主レンズのレンズ構成図である。
ただし、主レンズはこれに限らない。また、主レンズに実施例１のリアコンバージョンレンズを装着したときのレンズ構成図を図４に示す。
【００７２】
主レンズは、物体側より順に、両凸レンズＬ１と、物体側に凸面を向けた正メニスカスレンズＬ２と、両凹レンズＬ３と、物体側に凸面を向けた負メニスカスレンズＬ４と物体側に凸面を向けた正メニスカスレンズＬ５からなる接合レンズと、物体側に凸面を向けた負メニスカスレンズＬ６と物体側に凸面を向けた正メニスカスレンズＬ７からなる接合レンズと、開口絞りと、物体側に凸面を向けた負メニスカスレンズＬ８と両凸レンズＬ９からなる接合レンズと、両凹レンズＬ１０と両凸レンズＬ１１と像側に凸面を向けた負メニスカスレンズＬ１２との３枚からなる接合レンズから構成される。
【００７３】
以下に、各実施例に用いた主レンズの結像光学系の諸元値を示す。
主レンズ
単位：mm
[面データ]
面番号       r           d         nd       vd    有効光線高
物面          ∞      (d0)
1      111.9173   20.8268   1.43700    95.10     52.60
2     -495.5275    2.0000                        51.77
3      113.6922   14.6266   1.43700    95.10     47.32
4     1558.7754    5.4143                        45.61
5     -555.2988    4.0000   1.74330    49.22     44.09
6      359.9722   12.0000                        42.21
7       87.7955    2.5000   1.78590    43.93     36.69
8       46.7063   16.2148   1.55032    75.50     33.46
9      137.9693   37.1684                        31.75
10      822.2693    1.5000   1.83400    37.34     20.80
11       42.0060    5.4599   1.84666    23.78     19.72
12       76.3607   30.7194                        19.20
13(絞り)       ∞   16.0306                        16.25
14       94.7760    1.0000   2.00100    29.13     15.50
15       61.3988    5.7225   1.62004    36.30     15.48
16      -90.9221   22.2167                        15.60
17      -63.4368    1.0000   1.59282    68.62     14.96
18       33.4595   10.0000   1.61340    44.27     15.43
19      -56.0440    1.0000   1.84666    23.78     15.68
20     -943.8831        (BF)                      15.97
像面           ∞
[各種データ]
INF
焦点距離      290.00
Fナンバー        2.91
全画角2ω        8.38
像高Y         21.63
レンズ全長     245.40
[可変間隔データ]
INF
d0         ∞
BF        36.0000
【実施例１】
【００７４】
図５は、本発明の実施例１のリアコンバージョンレンズのレンズ構成図である。
実施例１のリアコンバージョンレンズは、物体側より順に正の屈折力の第１レンズ群Ｇ１、負の屈折力の第２レンズ群Ｇ２、正の屈折力の第３レンズ群Ｇ３、正の屈折力の第４レンズ群Ｇ４から構成される。
【００７５】
第１レンズ群は、物体側に凸面を向けた負メニスカスレンズＬ１と両凸レンズＬ２と像側に凸面を向けた負メニスカスレンズＬ３との３枚からなる接合レンズから構成される。第２レンズ群は、両凹レンズＬ４と物体側に凸面を向けた正メニスカスレンズＬ５からなる接合レンズから構成される。第３レンズ群は、両凸レンズＬ６と両凹レンズＬ７からなる接合レンズから構成される。第４レンズ群は、像側に凸面を向けた正メニスカスレンズＬ８から構成される。
【００７６】
続いて、以下に実施例１に係るリアコンバージョンレンズの諸元値を示す。
数値実施例1
単位：mm
[面データ]
面番号       r         d        nd       vd   有効光線高
1           ∞      (d1)
2      77.6679    0.9000   2.00100    29.13    8.75
3      18.2216    6.5654   1.72825    28.32    8.69
4     -27.5847    0.9000   1.61997    63.88    8.85
5     -49.4085    2.8454                       8.92
6     -41.2287    0.9000   1.88100    40.14    8.78
7      18.2640    3.5266   1.72825    28.32    9.10
8      40.4824    0.1500                       9.41
9      28.0116    7.7516   1.59270    35.45    9.79
10     -26.1109    0.9000   2.05090    26.94   10.22
11     252.3233   13.3076                      10.79
12     -44.8273    7.3681   1.51742    52.15   15.41
13     -24.5595      (BF)                      16.84
像面          ∞
[各種データ]
INF
焦点距離      581.99
Fナンバー        5.83
全画角2ω        4.21
像高Y         21.63
レンズ全長     277.49
[可変間隔データ]
INF
d1         5.1499
BF        17.8254
[レンズ群データ]
群        始面        焦点距離
G1         2            68.99
G2         6           -20.37
G3         9           590.96
G4        12            93.40
【実施例２】
【００７７】
図８は、本発明の実施例２のリアコンバージョンレンズのレンズ構成図である。
実施例２のリアコンバージョンレンズは、物体側より順に正の屈折力の第１レンズ群Ｇ１、負の屈折力の第２レンズ群Ｇ２、正の屈折力の第３レンズ群Ｇ３、正の屈折力の第４レンズ群Ｇ４から構成される。
【００７８】
第１レンズ群は、物体側に凸面を向けた負メニスカスレンズＬ１と両凸レンズＬ２と像側に凸面を向けた負メニスカスレンズＬ３との３枚からなる接合レンズから構成される。第２レンズ群は、両凹レンズＬ４と物体側に凸面を向けた正メニスカスレンズＬ５からなる接合レンズから構成される。第３レンズ群は、両凸レンズＬ６と両凹レンズＬ７からなる接合レンズから構成される。第４レンズ群は、像側に凸面を向けた正メニスカスレンズＬ８から構成される。
【００７９】
続いて、以下に実施例２に係るリアコンバージョンレンズの諸元値を示す。
数値実施例2
単位：mm
[面データ]
面番号       r         d       nd        vd    有効光線高
1           ∞      (d1)
2      66.2995    0.9000   2.00100    29.13     8.75
3      16.4056    7.1760   1.72825    28.32     8.66
4     -27.7345    0.9000   1.61997    63.88     8.87
5     -58.0857    3.2163                        8.94
6     -43.7911    0.9000   1.88100    40.14     8.87
7      18.0296    3.2214   1.72825    28.32     9.23
8      32.1134    0.1500                        9.55
9      26.8903    8.2359   1.59270    35.45     9.91
10     -27.1593    0.9000   2.05090    26.94    10.54
11     244.8695   10.5759                       11.22
12     -48.8261    9.1422   1.51742    52.15    15.39
13     -23.0000      (BF)                       17.19
像面          ∞
[各種データ]
INF
焦点距離      577.08
Fナンバー        5.78
全画角2ω        4.25
像高Y         21.63
レンズ全長     276.46
[可変間隔データ]
INF
d1         6.2634
BF        15.4787
[レンズ群データ]
群        始面       焦点距離
G1         2           76.13
G2         6          -18.95
G3         9          302.62
G4        12           74.99
【実施例３】
【００８０】
図１１は、本発明の実施例３のリアコンバージョンレンズのレンズ構成図である。
実施例３のリアコンバージョンレンズは、物体側より順に正の屈折力の第１レンズ群Ｇ１、負の屈折力の第２レンズ群Ｇ２、負の屈折力の第３レンズ群Ｇ３、正の屈折力の第４レンズ群Ｇ４から構成される。
【００８１】
第１レンズ群は、物体側に凸面を向けた負メニスカスレンズＬ１と両凸レンズＬ２と像側に凸面を向けた負メニスカスレンズＬ３との３枚からなる接合レンズから構成される。第２レンズ群は、両凹レンズＬ４と物体側に凸面を向けた正メニスカスレンズＬ５からなる接合レンズから構成される。第３レンズ群は、両凸レンズＬ６と両凹レンズＬ７からなる接合レンズから構成される。第４レンズ群は、像側に凸面を向けた正メニスカスレンズＬ８から構成される。
【００８２】
続いて、以下に実施例３に係るリアコンバージョンレンズの諸元値を示す。
数値実施例3
単位：mm
[面データ]
面番号      r        d         nd       vd   有効光線高
1          ∞      (d1)
2     80.3158    0.9000   2.00100   29.13     8.75
3     19.3246    6.5616   1.72825   28.32     8.70
4    -27.3969    0.9000   1.61997   63.88     8.88
5    -52.0568    3.2474                       8.95
6    -39.2284    0.9000   1.88100   40.14     8.82
7     18.6096    3.7769   1.72825   28.32     9.19
8      5.1241    0.1500                       9.54
9     30.2666    8.7847   1.59270   35.45     9.92
10    -21.7674    0.9000   2.05090   26.94    10.46
11    153.2441   10.1347                      11.31
12    -77.4957   10.5318   1.54814   45.82    16.08
13    -24.5879      (BF)                      18.02
像面         ∞
[各種データ]
INF
焦点距離      574.77
Fナンバー        5.76
全画角2ω        4.28
像高Y         21.63
レンズ全長     276.30
[可変間隔データ]
INF
d1         6.5664
BF        13.5493
[レンズ群データ]
群        始面       焦点距離
G1         2           70.03
G2         6          -20.77
G3         9         -188.40
G4        12           61.38
【実施例４】
【００８３】
図１４は、本発明の実施例４のリアコンバージョンレンズのレンズ構成図である。
実施例４のリアコンバージョンレンズは、物体側より順に正の屈折力の第１レンズ群Ｇ１、負の屈折力の第２レンズ群Ｇ２、正の屈折力の第３レンズ群Ｇ３、正の屈折力の第４レンズ群Ｇ４から構成される。
【００８４】
第１レンズ群は、物体側に凸面を向けた負メニスカスレンズＬ１と両凸レンズＬ２と像側に凸面を向けた負メニスカスレンズＬ３との３枚からなる接合レンズから構成される。負メニスカスレンズＬ３の像側の面は所定の非球面形状となっている。第２レンズ群は、両凹レンズＬ４と物体側に凸面を向けた正メニスカスレンズＬ５からなる接合レンズから構成される。第３レンズ群は、両凸レンズＬ６と像側に凸面を向けた負メニスカスレンズＬ７からなる接合レンズから構成される。第４レンズ群は、像側に凸面を向けた正メニスカスレンズＬ８から構成される。
【００８５】
続いて、以下に実施例４に係るリアコンバージョンレンズの諸元値を示す。
数値実施例4
単位：mm
[面データ]
面番号       r         d        nd       vd   有効光線高
1           ∞      (d1)
2      46.7865    0.9000   2.00100    29.13    8.75
3      14.6938    7.3405   1.72825    28.32    8.59
4     -34.5768    0.9000   1.59201    67.02    8.75
5*   -138.5516    1.8124                       8.79
6     -64.1507    0.9000   1.88100    40.14    8.77
7      16.0395    3.6684   1.72825    28.32    9.01
8      28.5139    0.1500                       9.32
9      24.3004   10.9546   1.59270    35.45    9.68
10     -18.0000    0.9000   2.05090    26.94   10.39
11    -306.2165   11.8059                      11.37
12     -34.1272    7.3374   1.61340    44.27   15.54
13     -22.8483      (BF)                      17.20
像面          ∞
[非球面データ]
5面
K           0.0000
A4     -1.2357E-05
A6      7.7100E-09
A8     -2.2311E-10
A10          0.0000 
[各種データ]
INF
焦点距離      576.51
Fナンバー        5.78
全画角2ω        4.31
像高Y         21.63
レンズ全長     275.62
[可変間隔データ]
INF
d1         6.0060
BF        13.5471
[レンズ群データ]
群        始面     焦点距離
G1         2          90.71
G2         6         -19.88
G3         9         165.09
G4        12          90.36
【００８６】
また、これらの各実施例における条件式の対応値の一覧を示す。
【００８７】
[条件式対応値] 
条件式／実施例                ex1     ex2     ex3     ex4
(1)       ０．４０≦ＢＦ／ｈ≦１．１０         0.82    0.72    0.63    0.63
(2)  ０．８０≦（Ｌ−ＰＰＯ）／Ｌ≦１．７０    1.11    1.21    1.37    1.09
(3) −１．００≦（Ｌ＋ＰＰＩ）／Ｌ≦０．２０  -0.19   -0.39   -0.69   -0.16
(4)     ０．１０≦ｆ１２３／ｆ≦０．６０       0.42    0.34    0.26    0.41
(5)     −０．３０≦ｆ２／ｆ３≦０．３０      -0.03   -0.06    0.11   -0.12
(6)            １．９７≦ｎｄ３ｎ              2.05    2.05    2.05    2.05
(7)                 下記参照                   0.35    0.29    0.22    0.37
(8)  ０．１５≦ＲＧ４ｒｅａｒ／ｆ≦０．５０    0.34    0.29    0.26    0.33
(9)                 下記参照                  -3.42   -2.78   -1.93   -5.05
(10)     ２１．０≦Ｓ０＊ＨＧ１＊β／ｈ       25.05   23.94   23.60   24.12
(11)         １．８５≦β≦２．１５            2.01    1.99    1.98    1.99
※条件式（７）０．１０≦（Ｄ３４−ＰＰＩ１２３＋ＰＰＯ４）／（−f）
※条件式（９）−８．００≦(ＲＧ４ｒｅａｒ+ＲＧ４ｆｒｏｎｔ)／(ＲＧ４ｒｅａｒ−ＲＧ４ｆｒｏｎｔ)≦−１．２０
【符号の説明】
【００８８】
ＭＬ    主レンズ
ＲＣＬ  リアコンバージョンレンズ
Ｇ１    第１レンズ群
Ｇ２    第２レンズ群
Ｇ３    第３レンズ群
Ｇ４    第４レンズ群
Ｓ      開口絞り
Ｉ      像面
【図１】
2020173319.tif 000004
【図２】
2020173319.tif 000005
【図３】
2020173319.tif 000006
【図４】
2020173319.tif 000007
【図５】
2020173319.tif 000008
【図６】
2020173319.tif 000009
【図７】
2020173319.tif 000010
【図８】
2020173319.tif 000011
【図９】
2020173319.tif 000012
【図１０】
2020173319.tif 000013
【図１１】
2020173319.tif 000014
【図１２】
2020173319.tif 000015
【図１３】
2020173319.tif 000016
【図１４】
2020173319.tif 000017
【図１５】
2020173319.tif 000018
【図１６】
2020173319.tif 000019